(57)【特許請求の範囲】
【請求項１】
口部が破断可能な密封シートにより密封される容器本体と、容器本体の口部に装着される上蓋とを備え、
上蓋は、密封シートの上方に配設される天面壁と、天面壁の周縁に連設し口部に固定される装着筒部と、天面壁に形成される開口部と、開口部に一対の支持部によって天面壁に連設される開封刃とを備え、
開封刃は、前端に切断刃を有する刃部と、後端に把持部を有する操作部と、刃部と操作部を連結し、伸展状態と屈曲状態とで安定状態を維持する弾性反転ヒンジ機構とを備え、
一対の支持部は、開口部に対して開封刃の両側端面を回動可能に支持する第２ヒンジ部を有し、
天面壁と刃部は、開封刃が回転して切断刃が密封シートを破断したときに、刃部が元の位置に戻ることを阻止する係止部を有することを特徴とする蓋付きカップ容器。
【請求項２】
弾性反転ヒンジ機構は、刃部後端部と操作部前端部とを連結する屈曲変形可能な弾性板と、弾性板の一端部と他端部とを結ぶ線上を回動時に横切る第１ヒンジ部とを備えることを特徴とする請求項１に記載の蓋付きカップ容器。
【請求項３】
第１ヒンジ部と第２ヒンジ部は、変形可能な薄肉部で形成されていることを特徴とする請求項２に記載の蓋付きカップ容器。
【請求項４】
係止部は、刃部の両側端面に設けられる固定突部と、開口部の開口側面に突出する係止リブとを備えることを特徴とする請求項１〜３のいずれかに記載の蓋付きカップ容器。
【請求項５】
操作部は、開口部の開口側面との間に破断可能な弱化片を有することを特徴とする請求項１〜４のいずれかに記載の蓋付きカップ容器。
【発明の詳細な説明】
【技術分野】
【０００１】
本発明は、口部が破断可能な密封シートによって密封されたカップ状の容器本体と、密封シートを破断して開口を形成する開封刃を有する上蓋とを備える蓋付きカップ容器に関し、とくに、開封後に内容物を注出する際に、開封刃が妨げとならないようにした蓋付きカップ容器に関するものである。
【背景技術】
【０００２】
この種のカップ容器として、口部に貼着された密封シートにて密封される容器本体と、該密封シートを覆い隠し容器本体の口部に保持されるオーバーキャップとを備えた容器であって、前記オーバーキャップは、内容物の注出口を形成する開口を有する天壁と、この天壁の開口縁部に配設された基部からなり、前記基部に、屈曲変形可能な薄肉片を介して支持され、該薄肉片の屈曲変形に伴う振り下げ動作にて該開口の直下に位置する密封シートを押し切る開封刃と、該薄肉片の屈曲変形に伴う引き起こしにて該開封刃の後端部を押圧してその振り下げ動作を誘導する操作レバーを設けたものが従来から知られている（例えば、特許文献１参照）。
【先行技術文献】
【特許文献】
【０００３】
【特許文献１】特開２００７−３１４２３７号公報
【発明の概要】
【発明が解決しようとする課題】
【０００４】
しかしながら、上記特許文献１記載の開封刃を有するオーバーキャップ付き容器では、密封シートを破断した後の開封刃は、振り下げ姿勢が維持されるために、開封後に開封刃が邪魔になることはないが、操作レバーは、元の位置に戻した際に、不用意に動かないようにするストッパーを設ける必要があった。
とくに、開封刃と操作レバーとの連結構造が複雑になるという問題があった。
【０００５】
本発明は、上記問題を解決することを課題とし、カップ状の容器本体に装着される上蓋に回動可能に連結される開封刃が、密封シートを破断してカップ容器を開封した後に、内容物を注出する際の妨げとならないように、開封刃をシンプルな構造とした蓋付きカップ容器を提供することを目的とする。
【課題を解決するための手段】
【０００６】
本発明は、上記の課題を解決するため、蓋付きカップ容器として、口部が破断可能な密封シートにより密封される容器本体と、容器本体の口部に装着される上蓋とを備え、上蓋は、密封シートの上方に配設される天面壁と、天面壁の周縁に連設し口部に固定される装着筒部と、天面壁に形成される開口部と、開口部に一対の支持部によって天面壁に連設される開封刃とを備え、開封刃は、前端に切断刃を有する刃部と、後端に把持部を有する操作部と、刃部と操作部を連結し、伸展状態と屈曲状態とで安定状態を維持する弾性反転ヒンジ機構とを備え、一対の支持部は、開口部に対して開封刃の両側端面を回動可能に支持する第２ヒンジ部を有し、天面壁と刃部は、開封刃が回転して切断刃が密封シートを破断したときに、刃部が元の位置に戻ることを阻止する係止部を有することを特徴とする構成を採用する。
【０００７】
蓋付きカップ容器の具体的実施形態として、弾性反転ヒンジ機構は、刃部後端部と操作部前端部とを連結する屈曲変形可能な弾性板と、弾性板の一端部と他端部とを結ぶ線上を回動時に横切る第１ヒンジ部とを備えることを特徴とする構成、また、第１ヒンジ部と第２ヒンジ部は、変形可能な薄肉部で形成されていることを特徴とする構成を採用する。
【０００８】
蓋付きカップ容器のさらなる具体的実施形態として、係止部は、刃部の両側端面に設けられる固定突部と、開口部の開口側面に突出する係止リブとを備えることを特徴とする構成、また、操作部は、開口部の開口側面との間に破断可能な弱化片を有することを特徴とする構成を採用する。
【発明の効果】
【０００９】
本発明の蓋付きカップ容器は、上蓋に回動可能に連結された開封刃を回転させて密封シートを破断開口した後、刃部を下方に回転した位置に保持するとともに、刃部と連結して伸展状態と屈曲状態とで安定状態を維持する弾性反転ヒンジ機構によって操作部だけを開封操作前の復帰状態に保持することができるから、内容物を注出する際に開封刃の刃部が妨げになることがないとともに、開封刃の構造を複雑にすることがないという顕著な効果を奏する。
【図面の簡単な説明】
【００１０】
【図１】蓋付きカップ容器の実施例の斜視図である。
【図２】実施例の蓋付きカップ容器を示す図であり、（ａ）は上面図、（ｂ）は断面図である。
【図３】実施例の蓋付きカップ容器の要部断面拡大図であり、（ａ）は図２（ａ）のＸ−Ｘ線断面矢視拡大図、（ｂ）は同Ｙ−Ｙ線断面矢視拡大図である。
【図４】実施例の蓋付きカップ容器の開封操作を開始したときの状態を示す図であり、（ａ）は断面図、（ｂ）は図２（ａ）のＹ−Ｙ線位置における断面矢視拡大図である。
【図５】実施例の蓋付きカップ容器の開封操作が完了した状態を示す図であり、（ａ）は断面図、（ｂ）は図２（ａ）のＸ−Ｘ線位置における断面矢視拡大図である。
【発明を実施するための形態】
【００１１】
次に、本発明の蓋付きカップ容器について、実施例を示した図面を参照して説明する。
【実施例】
【００１２】
図１および２において、Ａはカップ状の容器本体、Ｂは上蓋、Ｃは開封刃である。
本実施例の蓋付きカップ容器は、容器本体Ａと、容器本体Ａの口部１を覆って装着される上蓋Ｂとからなり、上蓋Ｂには開封刃Ｃが一体に設けられている。
【００１３】
図２に示すように、容器本体Ａは、口部１から内容物が充填された後、容器内部を密封するために、口部１の周縁から周設されるフランジ部２に密封シート３が貼着されている。
なお、容器本体Ａに充填される内容物として、コーヒーや紅茶などの飲料が好ましいが、飲料以外の食品など、種々の内容物を充填して利用可能である。
【００１４】
上蓋Ｂは、容器本体Ａのフランジ部２と液密状態で嵌合する装着筒部５と、装着筒部５の上部に立設される周壁６と、周壁６の内周に連設されて密封シート３の上方に配置される天面壁７とからなっている。
天面壁７には、径方向に長い略長方形の開口部Ｓが形成され、開口部Ｓには、開口側面８からＬ字状溝部９により区画される支持部１０によって天面壁７に連設される開封刃Ｃが配設されている。
【００１５】
開封刃Ｃは、径方向を長手方向とする全体として略板状をなしており、前端に下方に折曲する切断刃１１と、後端に手指が下面に入りやすいように若干高く形成される把持部１２とを有し、両側端面１３は天面壁７との間に開口部Ｓのわずかな隙間を隔てている。
開封刃Ｃは、長手方向の略中央付近に設けられる支持部１０よりも前方で、切断刃１１を有する刃部１４と、把持部１２を有する操作部１５とが、弾性反転ヒンジ機構により連結している。
なお、把持部１２は手指でつかみやすい形状であればよく、手指を挿入する孔を設けてもよいし、開口部Ｓとの隙間が手指を挿入するに十分に大きければ操作部１５全体を平板状にしてもかまわない。
【００１６】
刃部１４と操作部１５とを連結する弾性反転ヒンジ機構は、開封刃Ｃの幅方向中央に設けられる弾性板１６と、弾性板１６の両側２箇所に設けられる一対の第１ヒンジ部１７とからなり、一体に成形されている。
なお、本実施例では、弾性板１６の両側２箇所に第１ヒンジ部１７を設けているが、逆に、中央に第１ヒンジ部１７を設け、その両側に一対の弾性板１６を設けてもよいし、それぞれ複数の弾性板１６と第１ヒンジ部１７を適宜箇所に設けてもよい。
【００１７】
図３（ａ）に示すように、弾性板１６は、前端部１６ａで刃部１４の後端上部と連結するとともに、後端部１６ｂで操作部１５の前端上部と連結するものであり、厚みが均一で、断面形状がくの字形をなしている。
第１ヒンジ部１７は、肉厚を刃部１４と操作部１５とを連結する上端部で薄肉部として形成している。
本実施例では、弾性板１６は、刃部１４と操作部１５との上端部で連結し、第１ヒンジ部１７は、刃部１４と操作部１５との上端部で連結しているが、連結部位は必ずしも上端部でなくともよく、さらに、図５（ｂ）に示すように、弾性反転ヒンジ機構は、第１ヒンジ部１７が少なくとも弾性板１６の前端部１６ａと後端部１６ｂとを結ぶＺ−Ｚ線上を回動時に横切るものであればよい。
また、弾性板１６は所定の強度を有し、かつ弾性屈曲可能であれば、断面形状は本実施例に限定されない。
【００１８】
図２（ａ）に示すように、開封刃Ｃの長手方向中央付近には、両側端面１３から一対の支持部１０が外方に突設されている。
図３（ｂ）に示すように、一対の支持部１０は、前面上端部でそれぞれ薄肉の第２ヒンジ部２０によって天面壁７に連設している。
第２ヒンジ部２０は、支持部１０の前面上端部で天面壁７と連設しているが、開封刃Ｃの回転を許容するものであれば必ずしも支持部１０の前方に配置される必要はなく、支持部１０の後方に配置されるものであってもよい。
【００１９】
開封刃Ｃの両側端面１３には、刃部１４の前方に固定突部２１が設けられ、固定突部２１の前方は角が面取りされている。
固定突部２１の前方に向き合う天面壁７の開口側面８には、所定長さで上下方向に突出する係止リブ２２が形成され、開封刃Ｃが開封方向へ回転すると固定突部２１が係合するようになっている。
係止リブ２２が本発明の係止部を構成しているが、係止部としては、開封刃Ｃの復帰方向への回転を阻止することができるものであれば、種々の係止形態を採用することが可能である。
【００２０】
開封刃Ｃの操作部１５には、両側端面１３と、両側端面１３に向き合う開口側面８との間に、破断可能な一対の弱化片２３が形成され、誤って操作部１５に力が加わったり容器を落下させたりして、不用意に開封刃Ｃが回転しないようにしている。
なお、本実施例では、開封刃Ｃの不用意な回転を防止するものとして、両側端面１３に設ける一対の弱化片２３としたが、両側端面１３に限らず開口部Ｓに面した天面壁７の適宜箇所に弱化片２３を設けてもよく、一対でなく１つだけでも構わない。
また、操作部１５の下面には、先端が斜めにカットされる円筒状の切刃筒２４が設けられている。
【００２１】
本実施例では、上蓋Ｂは、合成樹脂により一体成形されているが、本発明はこれに限定されず、他の材料や製法を用いてもよい。
また、蓋付きカップ容器には、上蓋Ｂに着脱可能な図示しないカバーキャップを取り付け、開封前における開封刃Ｃの誤動作を防止するとともに、上蓋Ｂの内側を清潔に保つようにすることもできる。
【００２２】
次に、本実施例の使用態様と作用効果について図面を参照しながら説明する。
図２に示すように、開封前の水平状態にある開封刃Ｃは、把持部１２の両側端面１３と、両側端面１３に向き合う開口側面８との間に、破断可能な一対の弱化片２３が形成されるとともに、周壁６が切断刃１１に近接して誤って手が触れることを防止しているので、開封刃Ｃは、不用意に回動することなく水平状態が保たれるようになっている。
【００２３】
図２に示す状態から把持部１２に手指をかけて操作部１５を上方に引き上げると、開封刃Ｃの両側端面１３と天面壁７の開口側面８との間に設けられた弱化片２３が破断され、刃部１４と操作部１５は、弾性反転ヒンジ機構としての弾性板１６と第１ヒンジ部１７とによって伸展状態で連結されているので、開封刃Ｃは、支持部１０を介して第２ヒンジ部２０を変形させながら第２ヒンジ部２０を支点に回転を始め、切断刃１１が密封シート３を押し切って開封するようになる。
そして、図４（ａ）に示すように、開封刃Ｃがさらに回転し、刃部１４の固定突部２１は、開口側面８に形成される係止リブ２２に摺接して乗り越え、さらに、密封シート３の開口を広げていく。
このとき、使用者には、固定突部２１が係止リブ２２を乗り越えたことによるクリック感が伝わり、開封操作が最終段階にあることが確認できる。
【００２４】
その後、操作部１５を元の位置に戻すように押し下げ方向に操作すると、刃部１４は、固定突部２１が係止リブ２２に係合して回転を阻止されるため、図５に示すように、操作部１５は、第２ヒンジ部２０を支点に回転するとともに、弾性板１６を狭めるように変形させながら第１ヒンジ部１７を支点として開封刃Ｃを屈曲させていく。
図３（ａ）に示すように、弾性板１６は、刃部１４と操作部１５とが伸展状態のときには、前端部１６ａと後端部１６ｂとが最も開いた状態で弾性変形していないが、操作部１５が下方に回転して、刃部１４と操作部１５とが屈曲していくと、弾性板１６は、弾性変形して前端部１６ａと後端部１６ｂとが狭まろうとする。
さらに、操作部１５に力を加えていくと、図５（ｂ）に示すように、第１ヒンジ部１７は、弾性板１６の前端部１６ａと後端部１６ｂとを結ぶＺ−Ｚ線を越えて弾性板１６側に入るところまで屈曲することにより、その後は使用者が手を離しても、刃部１４と操作部１５とは屈曲した安定状態にあるので、弾性板１６が広がろうとする復元力に抗して、操作部１５が上方に回転するのを阻止することができる。
【００２５】
このように、本実施例の蓋付きカップ容器は、開封刃Ｃを回転させて密封シート３を破断開口した後、刃部１４を下方に回転した位置に保持するとともに、刃部１４と連結する弾性反転ヒンジ機構によって操作部１５だけを開封操作前の復帰状態に保持することができるから、容器を開封した後に、開封刃Ｃの刃部１４が内容物を注出する際の妨げとなることがない。
また、上蓋Ｂに唇をつけて内容物を飲む場合でも、開封刃Ｃの操作部１５が顔に当たったりして邪魔になり飲みにくいということがない。
さらに、上蓋Ｂは開封刃Ｃとともに合成樹脂により一体成形することができるから、成形も容易で清潔な容器とすることができる。
【産業上の利用可能性】
【００２６】
本実施例の蓋付きカップ容器は、上蓋に密封シートを破断する開封刃が付いているので容器を簡単かつ清潔に開封することができるから、飲料、食品などを充填する容器として広く利用することができる。
とくに、本実施例の蓋付きカップ容器は、内容物を注出する際に開封刃がシンプルな構造で邪魔になることがないから、コーヒーや紅茶など、直接唇をつけて飲む飲料などの用途に適用して好適な容器である。
【符号の説明】
【００２７】
Ａ              容器本体
Ｂ              上蓋
Ｃ              開封刃
Ｓ              開口部
１              口部
２              フランジ部
３              密封シート
５              装着筒部
６              周壁
７              天面壁
８              開口側面
９              Ｌ字状溝部
１０              支持部
１１              切断刃
１２              把持部
１３              両側端面
１４              刃部
１５              操作部
１６              弾性板
１６ａ            前端部
１６ｂ            後端部
１７              第１ヒンジ部
２０              第２ヒンジ部
２１              固定突部
２２              係止リブ
２３              弱化片
２４              切刃筒
【図１】
0006501697.tif 000002
【図２】
0006501697.tif 000003
【図３】
0006501697.tif 000004
【図４】
0006501697.tif 000005
【図５】
0006501697.tif 000006